(57)【要約】 【課題】  文字情報の案内情報を提供する場合に比して、より有用性のある案内情報を出力する。【解決手段】情報提供システムでは、公共交通機関の外貌画像データ、及び公共交通機関の時刻表を記憶し、公共交通機関表示用領域に対応づけて、公共交通機関の時刻表から定められた公共交通機関の外貌画像データを含めた出力用情報を出力する。これにより、文字情報の案内情報を提供する場合に比して、より有用性のある情報を出力することができる。【選択図】  図４
2013206054.tif 000002
【特許請求の範囲】
【請求項１】
公共交通機関の外貌画像データを記憶する外貌画像データ記憶手段と、
公共交通機関の時刻表に関する時刻表情報を記憶する時刻表情報記憶手段と、
出力用情報中の公共交通機関表示用領域に対応づけて、前記公共交通機関の時刻表から定められた公共交通機関の前記外貌画像データを含めた出力用情報を出力する情報出力手段と、
を備えることを特徴とする情報提供システム。
【請求項２】
経路ネットワーク情報を記憶する経路ネットワーク情報記憶手段と、
前記経路ネットワーク情報及び前記時刻表に基づいた、出発地から目的地までの経路の情報である経路情報を生成する経路情報生成手段と、をさらに備え、
前記情報出力手段は、前記経路情報中の乗降場所に関する公共交通機関の前記外貌画像データを含めた出力用情報を出力することを特徴とする請求項１に記載の情報提供システム。
【請求項３】
前記外貌画像データ記憶手段は、乗物の全体画像及び部分画像を記憶し、
前記情報出力手段は、前記全体画像の公共交通機関徴表部分が選択されると、当該選択された部分に対応する乗物の部分画像を強調出力すると共に、前記全体画像の一部又は全体を出力対象から除外することを特徴とする請求項１又は２に記載の情報提供システム。
【請求項４】
前記情報出力手段は、前記公共交通機関の時刻表により定められた公共交通機関と同一の乗降場所に短い間隔で他の公共交通機関も到着する場合、前記公共交通機関の時刻表により定められた公共交通機関と、他の公共交通機関とを識別可能に示した画像を含めることを特徴とする請求項１乃至３のいずれか一項に記載の情報提供システム。
【請求項５】
撮影部を制御して撮影画像を取得する撮影画像取得手段をさらに備え、
前記情報出力手段は、前記撮影画像取得手段が取得した撮影画像と、出力対象の外貌画像とを比較した結果を出力することを特徴とする請求項１乃至４のいずれか一項に記載の情報提供システム。
【請求項６】
公共交通機関の外貌画像データを記憶する外貌画像データ記憶手段と、
公共交通機関の時刻表に関する時刻表情報を記憶する時刻表情報記憶手段と、
公共交通機関表示用領域に対応づけて、前記公共交通機関の時刻表から定められた公共交通機関の前記外貌画像データを含めた出力用情報を出力する情報出力手段と、
を備えることを特徴とする情報提供サーバ。
【請求項７】
公共交通機関の外貌画像データを記憶する外貌画像データ記憶手段と、
公共交通機関の時刻表に関する時刻表情報を記憶する時刻表情報記憶手段と、を備える装置で実行される情報提供方法であって、
公共交通機関表示用領域に対応づけて、前記公共交通機関の時刻表から定められた公共交通機関の前記外貌画像データを含めた出力用情報を出力する情報出力ステップを含むことを特徴とする情報提供方法。
【請求項８】
公共交通機関の外貌画像データを記憶する外貌画像データ記憶手段と、
公共交通機関の時刻表に関する時刻表情報を記憶する時刻表情報記憶手段と、を備えるコンピュータで実行される情報提供プログラムであって、
公共交通機関表示用領域に対応づけて、前記公共交通機関の時刻表から定められた公共交通機関の前記外貌画像データを含めた出力用情報を出力する情報出力ステップ、
として前記コンピュータに機能させることを特徴とする情報提供プログラム。
【発明の詳細な説明】
【技術分野】
【０００１】
本発明は、乗物の画像を提供する情報提供システム、情報提供サーバ、情報提供方法および情報提供プログラムに関する。
【背景技術】
【０００２】
バスに関する情報を出力する技術として、現在地と、最寄りバス停を含む地図情報と、目的地情報を基にした最寄りバス停におけるバス時刻情報と、を表示するものがある（例えば、特許文献１参照）。
【先行技術文献】
【特許文献】
【０００３】
【特許文献１】特開２００６−１３５４６４号公報
【発明の概要】
【発明が解決しようとする課題】
【０００４】
特許文献１に記載のシステムでは、利用者は、バス時刻の文字情報に基づいて乗るべきバスを判断する必要がある。この場合、バスの到着が遅れてしまうと、バス時刻の文字情報では、判断材料として適切ではなくなるという問題点があった。
【０００５】
そこで、本発明は、このような問題に鑑み、到着時刻に関する文字情報を提供する場合に比して、より有用性のある情報を出力する装置を提供することを目的とする。
【課題を解決するための手段】
【０００６】
本発明の一態様による情報提供システムは、公共交通機関の外貌画像データを記憶する外貌画像データ記憶手段と、公共交通機関の時刻表に関する時刻表情報を記憶する時刻表情報記憶手段と、公共交通機関表示用領域に対応づけて、公共交通機関の時刻表から定められた公共交通機関の外貌画像データを含めた出力用情報を出力する情報出力手段と、を備える。
【発明の効果】
【０００７】
本発明によれば、文字情報の案内情報を提供する場合に比して、より有用性のある情報を出力することができる。
【図面の簡単な説明】
【０００８】
【図１】本発明の第１実施形態に係る情報処理システムの構成を示す概略ブロック図。
【図２】本発明の第１実施形態に係る情報処理システムの処理動作の一例を示すフローチャート。
【図３】経路探索結果画面の一例を示す図。
【図４】バス用の詳細情報２２０の一例を示す図。
【図５】本発明の第２実施形態に係る経路探索結果情報提供システムの構成を示す概略ブロック図。
【図６】本発明の第２実施形態に係る情報処理システムの処理動作の一例を示すフローチャート。
【図７】時刻表検索結果の一例を示す図
【図８】バス外観画像の表示例を示す図
【図９】バス画像の表示遷移例を示す図
【発明を実施するための形態】
【０００９】
以下、本発明に係る実施形態について、図面を参照しながら具体的に説明する。
【００１０】
（第１の実施形態）
本実施形態の情報処理システム１の構成について説明する。本実施形態の情報処理システム１は、端末装置３０からの経路探索要求に応じて、経路探索結果情報を提供する。この探索結果情報として、バス区間に対応するバス画像等も提供する。
【００１１】
図１は、本実施形態の情報処理システム１の構成を示すブロック図である。
情報処理システム１は、サーバ１０と、端末装置３０と、ネットワーク５０と、を備える。サーバ１０及び端末装置３０は、ネットワーク５０を介して互いに接続される。サーバ１０及び端末装置３０の数は、それぞれ、１台であっても良いし、複数台であっても良い。ネットワーク５０は、有線ネットワークであっても良いし、無線ネットワークであっても良い。
【００１２】
サーバ１０は、サーバ制御部１２と、サーバ記憶部１４と、サーバ通信部１６と、を備える。
【００１３】
サーバ制御部１２は、サーバ通信制御部１２０と、経路ネットワーク情報取得部１２２と、経路探索部１２４と、画像データ取得部１２８と、経路探索結果情報生成部１３０と、サーバ出力制御部１３４と、を備える。サーバ制御部１２の各部については、後述する。
【００１４】
サーバ記憶部１４には、サーバ制御部１２が取り扱うデータが記憶される。例えば、サーバ記憶部１４には、経路ネットワーク情報と、時刻表情報と、画像データと、ユーザ情報と、バス画像路線関連情報が記憶される。経路ネットワーク情報とは、バス、電車、徒歩、自転車、車の経路ネットワークを示す情報である。経路ネットワークは、複数のノードと、複数のノード間を接続するリンクと、を含む。時刻表情報とは、交通機関の時刻表を示す情報である。ユーザ情報とは、ユーザに固有のユーザＩＤと、ユーザＩＤに関連付けられた情報を含むものである。画像データは、バスの外観画像、バス停画像等である。バス画像路線関連情報は、バス路線と、画像データとを関連付ける情報である。
【００１５】
なお、サーバ記憶部１４は、サーバ１０の外部に設けられ、ネットワーク５０を介して、サーバ１０と接続されても良い。
【００１６】
サーバ通信部１６は、サーバ１０とネットワーク５０との間の通信インタフェースである。
【００１７】
端末装置３０は、端末制御部３２と、端末記憶部３４と、端末通信部３６と、操作部３８と、位置情報取得部４０と、表示部４２と、を備える。例えば、端末装置３０は、デスクトップコンピュータ、ノートブックコンピュータ、携帯電話、スマートフォン、タブレット端末、又はカーナビゲーションシステムである。
【００１８】
端末制御部３２は、端末通信制御部３２０と、端末出力制御部３２２と、を備える。端末制御部３２の各部については、後述する。
【００１９】
端末記憶部３４には、端末制御部３２が取り扱うデータが記憶される。例えば、端末記憶部３４には、ユーザ情報が記憶される。
【００２０】
端末通信部３６は、端末装置３０とネットワーク５０との間の通信インタフェースである。
【００２１】
操作部３８は、ユーザ指示を受け付ける。例えば、操作部３８は、キーボード、マウス、及びタッチパネルである。
【００２２】
位置情報取得部４０は、端末装置３０の位置を示す位置情報を取得する。例えば、位置情報取得部４０は、ＧＰＳ（Ｇｌｏｂａｌ  Ｐｏｓｉｔｉｏｎｉｎｇ  Ｓｙｓｔｅｍ）レシーバである。
【００２３】
表示部４２は、様々な情報を出力する。例えば、表示部４２は、液晶ディスプレイである。
【００２４】
（情報処理フロー説明）
次に、このように構成された本実施形態における情報処理システムの処理の一例について、以下に図２から図４を参照して詳細に説明する。図２は、本実施形態における情報処理システムの処理の一例を示すフローチャートである。
【００２５】
図２に示すように、まず、端末装置３０の端末通信制御部３２０は、利用者により操作部３８を介して入力された少なくとも出発地と目的地とを含む経路探索条件をサーバ１０へ送信する（ステップＳ１１）。ここで、出発地は、位置情報取得部４０により取得される現在位置情報に基づく端末装置３０の利用者の現在位置であってもよい。また、経路探索条件は、更に、経由地等を含んでいてもよい。
【００２６】
そして、サーバ１０のサーバ通信制御部１２０は、端末装置３０から送信される少なくとも出発地と目的地とを含む経路探索条件を受信する。そして、サーバ１０の経路探索部１２４は、サーバ通信制御部１２０により受信された少なくとも出発地と目的地とを含む経路探索条件を満たす出発地から目的地までの複数または単数の案内経路を、時刻表情報や経路ネットワーク情報を用いて探索する。ここで、経路探索条件に経由地が更に含まれている場合、経路探索部１２４は、経由地を経由した案内経路を探索してもよい。そして、経路探索結果情報生成部１３０は、経路探索部１２４が探索した結果に基づいて、経路探索結果情報を生成する。また、経路探索結果情報生成部１３０は、経路にバス経路が含まれているか否かを判断し、バス経路が含まれている場合、詳細情報へのリンクボタンである詳細ボタンを付与した経路探索結果情報を生成する。
【００２７】
そしてサーバ１０のサーバ通信制御部１２０は、端末装置３０へ経路探索結果情報を送信する（ステップＳ２１）。
【００２８】
端末装置３０は、取得した経路探索結果情報を表示部４２へ表示する（ステップＳ１２）。
【００２９】
ここで、図３に経路探索結果情報の一例を示す。経路探索結果情報２１０は、「Ｄビル」から「△○３丁目」までを徒歩で移動し、「△○３丁目」〜「○○５丁目」までバスで移動し、「○○５丁目」から「○○県○○区○○町○丁目付近」まで徒歩で移動する経路を示している。また、経路探索結果情報２１０には、バス経路が含まれるため、詳細ボタン２１１を含む。
【００３０】
図２へ戻り、上記詳細ボタン２１１が操作部３８を介して押下されると（ステップＳ１３；Ｙｅｓ）、端末制御部３２は、端末通信部３６を介して、経路探索結果の詳細情報（以下、「バス用の詳細情報」ともいう）の送信要求を行う（ステップＳ１４）。
【００３１】
サーバ１０は、詳細情報の送信要求を受信すると、画像データ取得部１２８は、時刻表情報やバス画像路線関連情報を参照して指定されたバス路線に対応する画像データを取得し、経路探索結果情報生成部１３０が当該画像データを用いてバス用の詳細情報を生成し、サーバ出力制御部１３４が、生成したバス用の詳細情報をサーバ通信部１６を介して端末装置３０へ送信する（ステップＳ２２）。
【００３２】
端末装置３０は、取得したバス用の詳細情報を表示部４２へ表示する（ステップＳ１５）。
【００３３】
ここで、バス用の詳細情報の例について、図４を用いて説明する。図３に記載の経路探索結果画面２１０の詳細ボタン２１１が押下されると、図４に示すようなバス用の詳細情報２２０を表示する。バス用の詳細情報２２０は、行先表示ボタン２２１、バス外観画像２２２、路線表示ボタン２２３、ナンバー表示ボタン２２４、バス停位置情報２２５を含む。
【００３４】
このように、サーバ１０が、バス用の詳細情報として、バス外観画像２２２を出力すれば、利用者が到着するバスと当該バス外観画像２２２を比較することにより、乗車すべきバス（経路に対応するバス）であるか否かを、文字情報で比較する場合に比して容易に判断することができる。即ち、利用者の乗車ミスを防止することができる。
【００３５】
バスは、一般的に到着時刻が遅れる傾向があるので、探索結果の発車時刻で比較することが必ずしも適切ではない。しかし、本発明のように、サーバ１０が出力したバス外観画像２２２を利用者が参照し、バス停に到着したバスと比較すれば、到着時刻に合致していなくても経路探索結果に対応するバスか否かを判断することができる。
【００３６】
また、同一バス停では、複数系統のバスが到着するため、バス停に着いたとしても、乗車すべきバス以外の系統のバスに乗車してしまう可能性がある。しかし、本発明のように、経路に対応するバスの画像を提供することにより、経路に対応するバスであるか否かを比較することができる。
【００３７】
端末装置３０の操作部３８を介して、行先表示ボタン２２１が押下されると、バス正面の上部に表示されている行先表示についての画像である行先表示画像２４０を含めた画面に遷移する。また、端末装置３０の操作部３８を介して、路線表示２２３ボタンが押下されると、バス側面等にある通過停留所の概要についての画像である路線画像２５０を含めた画面に遷移する。さらに、端末装置３０の操作部３８を介して、ナンバーボタン２２４が押下されると、乗車対象のバスのナンバー画像（図示しない）を含めた画面に遷移する。
【００３８】
このように、サーバ１０が、行先表示画像２４０や路線画像２５０やナンバー画像を出力することにより、利用者が到着するバスと当該行先表示画像２４０や路線画像２５０やナンバー画像を比較することが可能となり、乗車すべきバスであるか否かを、文字情報で比較する場合に比して容易に判断することができる。また、行先表示画像２４０や路線画像２５０等、バスの一部の画像を出力することにより、バス外観画像２２２に比してより詳細な情報を提供するので、より正確に乗車すべきバスであるか否かを判断することができる。
【００３９】
バス停位置情報２２５は、現在位置と、乗車すべきバス停との位置関係を示す情報である。
【００４０】
バス停位置情報２２５には、乗車すべきバス停周辺にあるバス停２２７Ａ〜バス停２２７Ｃ（乗車すべきバス停は、バス停２２７Ｃ）、現在位置情報２２６を含める。なお、乗車すべきバス停を強調表示している。
【００４１】
端末装置３０の操作部３８を介して、乗車すべきバス停２２７Ｃが押下されると、バス停の画像を示すバス停画像２６０を含めた画面に遷移する。さらに、当該バス停画像２６０を含めた画面中で、端末装置３０の操作部３８を介して、バス停画像の一部が押下されると、時刻表画像２７０を含めた画面に遷移する。上記バス停画像２６０では、バス会社名（図では、Ａバス）、行先情報（図では、○×一丁目行き、△木行き、×○団地行き）、系統番号（図では、Ａ０１、Ａ０２、Ａ０３）、バス停名（図では、△○三丁目）を示している。
【００４２】
このように、サーバ１０は、バス停の画像や時刻表を出力することにより、利用者が移動した先のバス停と、当該バス停画像２６０や時刻表画像２７０を比較することが可能となり、乗車場所のバス停であるか否かを、文字情報で比較する場合に比して容易に判断することができる。
【００４３】
行先表示ボタン２２１、路線表示ボタン２２３、ナンバーボタン２２４を備えるような構成としているが、各ボタンを備えずに、行先表示画像、路線画像、ナンバー画像をバス用の詳細情報２２０に含めるようにしても良い。
【００４４】
（第２の実施形態）
本実施形態の情報処理システム１の構成について説明する。図５は、本実施形態の情報処理システム１の構成を示すブロック図である。本実施形態の情報処理システム１は、端末装置３０からの時刻表表示要求に応じて、要求対象の時刻表情報を提供し、さらに当該時刻表の詳細情報として、バス画像等を提供する。
【００４５】
情報処理システム１は、サーバ１０と、端末装置３０と、ネットワーク５０と、を備える。サーバ１０及び端末装置３０は、ネットワーク５０を介して互いに接続される。サーバ１０及び端末装置３０の数は、それぞれ、１台であっても良いし、複数台であっても良い。ネットワーク５０は、有線ネットワークであっても良いし、無線ネットワークであっても良い。
【００４６】
サーバ１０は、サーバ制御部１２と、サーバ記憶部１４と、サーバ通信部１６と、を備える。
【００４７】
サーバ制御部１２は、サーバ通信制御部１２０と、時刻表情報取得部１２３と、時刻表検索部１２６と、画像データ取得部１２８と、時刻表検索結果情報生成部１３１と、サーバ出力制御部１３４と、を備える。サーバ制御部１２の各部については、後述する。
【００４８】
サーバ記憶部１４には、サーバ制御部１２が取り扱うデータが記憶される。例えば、サーバ記憶部１４には、時刻表情報と、画像データと、ユーザ情報と、バス画像路線関連情報が記憶される。時刻表情報とは、交通機関の時刻表を示す情報である。ユーザ情報とは、ユーザに固有のユーザＩＤと、ユーザＩＤに関連付けられた情報を含むものである。画像データは、バスの外観画像、バス停画像等である。
【００４９】
なお、サーバ記憶部１４は、サーバ１０の外部に設けられ、ネットワーク５０を介して、サーバ１０と接続されても良い。
【００５０】
サーバ通信部１６は、サーバ１０とネットワーク５０との間の通信インタフェースである。
【００５１】
端末装置３０は、端末制御部３２と、端末記憶部３４と、端末通信部３６と、操作部３８と、位置情報取得部４０と、表示部４２と、を備える。例えば、端末装置３０は、デスクトップコンピュータ、ノートブックコンピュータ、携帯電話、スマートフォン、タブレット端末、又はカーナビゲーションシステムである。
【００５２】
端末制御部３２は、端末通信制御部３２０と、端末出力制御部３２２と、を備える。端末制御部３２の各部については、後述する。
【００５３】
端末記憶部３４には、端末制御部３２が取り扱うデータが記憶される。例えば、端末記憶部３４には、ユーザ情報が記憶される。
【００５４】
端末通信部３６は、端末装置３０とネットワーク５０との間の通信インタフェースである。操作部３８は、ユーザ指示を受け付ける。例えば、操作部３８は、キーボード、マウス、及びタッチパネルである。
【００５５】
位置情報取得部４０は、端末装置３０の位置を示す位置情報を取得する。例えば、位置情報取得部４０は、ＧＰＳ（Ｇｌｏｂａｌ  Ｐｏｓｉｔｉｏｎｉｎｇ  Ｓｙｓｔｅｍ）レシーバである。
【００５６】
（情報処理フロー説明）
次に、このように構成された本実施形態における情報処理システムの処理の一例について、以下に図６及び図７を参照して詳細に説明する。図６は、本実施形態における情報処理システムの処理の一例を示すフローチャートである。
【００５７】
図６に示すように、まず、端末装置３０の端末通信制御部３２０は、利用者により操作部３８を介して入力された少なくともバス路線を含む時刻表検索条件をサーバ１０へ送信する（ステップＳ３１）。そして、サーバ１０のサーバ通信制御部１２０は、端末装置３０から送信される少なくともバス路線を含む時刻表検索条件を受信する。そして、サーバ１０の時刻表検索部１２４は、サーバ通信制御部１２０により受信された路線に対応する時刻表を、時刻表情報を用いて検索する。そして、情報生成部１３０は、時刻表検索部１２４が検索した結果に基づいて、時刻表検索結果情報を生成する。また、時刻表検索結果情報生成部１３０は、詳細情報へのリンクボタンである詳細ボタンを付与した検索結果情報を生成する。
【００５８】
そしてサーバ１０のサーバ通信制御部１２０は、端末装置３０へ検索結果情報を送信する（ステップＳ４２）。端末装置３０は、検索結果情報を取得し、表示部４２へ表示する（ステップＳ３２）。
【００５９】
時刻表の検索結果の表示例を図７（Ａ）に示す。図７（Ａ）に示すように、時刻表の検索結果情報には、指定系統のバスにおける、所定時間帯のバスの出発時刻や行先の一覧や、各路線の詳細情報を表示させるための詳細ボタン２１１が含まれる。
【００６０】
ここで、図６のフローチャートへ戻り、図７（Ａ）に示す詳細ボタン２１１が選択されたことを、端末装置３０が検知すると（ステップＳ３３；Ｙｅｓ）、端末装置３０は、詳細情報の送信要求をサーバ１０へ行う（ステップＳ３４）。
【００６１】
サーバ１０は、詳細情報の送信要求を受信すると、画像データ取得部１２８は、バス画像路線関連情報を参照して指定されたバス路線に対応する画像データを取得し、時刻表検索結果情報生成部１３１が当該画像データを用いてバス用の詳細情報を生成し、サーバ出力制御部１３４が、生成したバス用の詳細情報をサーバ通信部１６を介して端末装置３０へ送信する（ステップＳ４３）。
【００６２】
端末装置３０は、取得したバス用の詳細情報を表示部４２へ表示する（ステップＳ３５）。詳細情報の表示例を図７（Ｂ）に示す。詳細情報は、図４で示した詳細情報２２０のバス停位置情報２２５を除いた情報である。
【００６３】
なお、上述の実施形態では、詳細情報２２０や当該詳細情報２２０から遷移する画像（行先表示画像２４０、路線画像２５０、ナンバー画像）を含めた画面が出力用情報に対応する。また、上述の実施形態では、バス外観画像２２２、行先表示画像２４０、路線画像２５０、ナンバー画像が外貌画像に対応する。
【００６４】
（他の実施形態）
上述した実施形態で説明した情報処理システムの少なくとも一部は、ハードウェアで構成してもよいし、ソフトウェアで構成してもよい。ソフトウェアで構成する場合には、経路探索システムの少なくとも一部の機能を実現するプログラムをフレキシブルディスクやＣＤ−ＲＯＭ等の記録媒体に収納し、コンピュータに読み込ませて実行させてもよい。記録媒体は、磁気ディスクや光ディスク等の着脱可能なものに限定されず、ハードディスク装置やメモリなどの固定型の記録媒体でもよい。
【００６５】
上述の実施形態では、システムで実現する場合について述べたが、ネットワークを介すこと無く、スタンドアロン形態で実現するようにしても良い。
【００６６】
上述の実施形態では、バスについて詳細情報を出力する場合について述べたが、電車等の他の公共交通機関に適用するようにしても良い。
【００６７】
上述の実施形態では、バス外観画像を出力する場合について述べたが、他の外観情報（ラッピング、ペイントなど）も含めたバス外観画像を出力するようにしても良い。
【００６８】
上述の実施形態では、バス停に関して、バス停名称、行先・系統番号、を出力する場合について述べたが、バス停番号や系統簡易地図等を出力するようにしても良い。
【００６９】
上述の実施形態では、乗車対象のバスの外観画像を表示する場合について述べたが、経路探索時に時刻表を参照した結果、乗車すべきバスの前後に短い間隔でバスが来る場合には、それぞれのバスの外観画像も表示し、さらに乗車すべきバスの外観画像を識別可能に表示するようにしても良い。識別可能に表示する具体例としては、それぞれのバス画像を表示し、乗車するバスに関する画像には○表示し、乗車しないバスに関する画像には×表示する等がある。表示例を図８に示す。
【００７０】
図８に示す外観画像の例は、９時５９分着、１０時着、１０時１分着のバスが同一のバス停到着する場合の例であり、１０時着のバスが対象のバス（経路に対応するバス、時刻表から指定されたバス）であることを示している。なお、単に外観画像を表示するだけでなく、異なる部分を強調表示するようにしても良い。
【００７１】
上述の実施形態では、経路探索結果から詳細ボタンが押下された場合に、バスの詳細情報を出力する場合について述べたが、現在位置情報を取得し、現在位置がバス停付近にある時にバスの詳細情報を出力するようにしても良い。
【００７２】
上述の実施形態では、特に述べなかったが、バスターミナルの拡大図を表示するようにしても良い。
【００７３】
また、経路探索システムの少なくとも一部の機能を実現するプログラムを、インターネット等の通信回線（無線通信も含む）を介して頒布してもよい。さらに、同プログラムを暗号化したり、変調をかけたり、圧縮した状態で、インターネット等の有線回線や無線回線を介して、あるいは記録媒体に収納して頒布してもよい。
【００７４】
上述の実施形態では、バス外観画像２２２と、各バスの部分の画像（行先表示画像２４０、路線画像２５０、ナンバー画像）とを別の枠で表示する場合について述べたが、本発明は、これに限られない。バス外観画像２２２を表示し、当該バス外観画像２２２中から選択された個所を拡大表示するようにしても良い。当該拡大する個所は、利用者が特徴を表示していると判断された個所を受け付けるようにしても良いし、予め情報処理システム１で、徴表的な部分を選択可能に定義しておくようにしても良い。ここで、徴表的な部分を選択可能に定義しておく例としては、バス外観画像２２２の徴表的な部分が定義された画像を保持しておく方法や、サーバ制御部１２（例えば、画像データ取得部１２８）がバス外観画像２２２中から画像解析を行って、徴表的部分を判別しておく方法などがある。図９にバス外観画像２２２中から選択された個所を拡大表示する例を示す。バス外観画像２２２の方向幕部分２２９が選択されると、行先表示画像２４０を表示したり、路線表示部分２３０が選択されると、路線画像２５０を拡大表示したりする。なお、予め徴表的な部分が定められている場合には、情報処理システム１は、指定された個所を単に拡大表示するのではなく、指定された個所付近の徴表的な部分を拡大表示するようにしても良い。
【００７５】
このように、情報処理システム１は、バス外観画像２２２中の部分の選択指定に応じて、当該部分の拡大画像を出力することにより、直感的に必要とするバス画像を選択させることができる。なお、情報処理システム１は、各バスの部分の画像を拡大表示している際、バス外観画像２２２を全て出力対象から除外したり、一部除外したりすることが望ましい。また、拡大表示に限られず、色を変更したり、点滅させたりするなど、他の強調表示態様とするようにしても良い。さらに、バス外観画像２２２のように、斜視図の場合において、正面方向にある方向幕部分２２９が選択された際には、正面から見た行先表示画像２４０を出力し、側面方向にある路線表示部分２３０が選択された際には、側面から見た路線図画像２５０を出力するようにしても良い。
【００７６】
上述の実施形態では、特に述べなかったが、端末装置等で撮像部を備えておき、当該撮像部を介して撮影したバス画像と、対象のバス（経路に対応するバス、時刻表から指定されたバス）の画像とを比較して、その結果を出力するようにしても良い。この場合、撮影画像を介して比較するので、利用者の比較動作は不要となる。
【００７７】
上述の実施形態では、特に述べなかったが、右側通行国の公共交通機関の外観画像２２２を出力する際には、公共交通機関の正面及び右側が分かる態様で出力し、左側通行国の公共交通機関の外観画像２２２を出力する際には、公共交通機関の正面及び左側が分かる態様で出力するようにしても良い。
【００７８】
上記の記載に基づいて、当業者であれば、本発明の追加の効果や種々の変形を想到できるかもしれないが、本発明の態様は、上述した個々の実施形態には限定されるものではない。特許請求の範囲に規定された内容およびその均等物から導き出される本発明の概念的な思想と趣旨を逸脱しない範囲で種々の追加、変更および部分的削除が可能である。
【符号の説明】
【００７９】
３０  端末装置
３２  端末制御部
３４  端末記憶部
３６  端末通信部
３８  操作部
４０  位置情報取得部
４２  表示部
１０  サーバ
１２  サーバ制御部
１４  サーバ記憶部
１６  サーバ通信部
５０  ネットワーク
【図１】
2013206054.tif 000003
【図２】
2013206054.tif 000004
【図３】
2013206054.tif 000005
【図４】
2013206054.tif 000006
【図５】
2013206054.tif 000007
【図６】
2013206054.tif 000008
【図７】
2013206054.tif 000009
【図８】
2013206054.tif 000010
【図９】
2013206054.tif 000011
【手続補正書】
【提出日】平成24年6月29日(2012.6.29)
【手続補正１】
【補正対象書類名】特許請求の範囲
【補正対象項目名】全文
【補正方法】変更
【補正の内容】
【特許請求の範囲】
【請求項１】
経路ネットワーク情報を記憶する経路ネットワーク情報記憶手段と、
公共交通機関の時刻データで構成される時刻表情報を記憶する時刻表情報記憶手段と、
乗物の全体画像及び部分画像を含み、前記各時刻データと紐付けられた公共交通機関の外貌画像データを記憶する外貌画像データ記憶手段と、
前記経路ネットワーク情報及び前記時刻表に基づいて、出発地から目的地までどの乗車場所からどの時刻の公共交通機関に乗車するかの情報である経路情報を生成する経路情報生成手段と、
前記経路情報中の乗車する公共交通機関の時刻に対応する外貌画像データを前記外貌画像データ記憶手段から取得し、取得した外貌画像データの全体画像を公共交通機関表示用領域に出力するとともに、その全体画像中の、前記部分画像に対応する公共交通機関徴表部分が選択されると、当該選択された部分に対応する乗物の部分画像を強調出力し、前記全体画像の一部又は全体を出力対象から除外する情報出力手段と、
を有することを特徴とする情報提供システム。
【請求項２】
前記情報出力手段は、前記経路情報中の乗車する公共交通機関と同一の乗降場所に短い間隔で他の公共交通機関も到着する場合、前記経路情報中の乗車する公共交通機関と、他の公共交通機関とを識別可能に出力することを特徴とする請求項１に記載の情報提供システム。
【請求項３】
撮影部を制御して撮影画像を取得する撮影画像取得手段をさらに備え、
前記情報出力手段は、前記撮影画像取得手段が取得した撮影画像と、出力対象の外貌画像とを比較した結果を出力することを特徴とする請求項１又は２に記載の情報提供システム。
【請求項４】
経路ネットワーク情報を記憶する経路ネットワーク情報記憶手段と、
公共交通機関の時刻データで構成される時刻表情報を記憶する時刻表情報記憶手段と、
乗物の全体画像及び部分画像を含み、前記各時刻データと紐付けられた公共交通機関の外貌画像データを記憶する外貌画像データ記憶手段と、
前記経路ネットワーク情報及び前記時刻表に基づいて、出発地から目的地までどの乗車場所からどの時刻の公共交通機関に乗車するかの情報である経路情報を生成する経路情報生成手段と、
前記経路情報中の乗車する公共交通機関の時刻に対応する外貌画像データを前記外貌画像データ記憶手段から取得し、取得した外貌画像データの全体画像を公共交通機関表示用領域に出力するとともに、その全体画像中の、前記部分画像に対応する公共交通機関徴表部分が選択されると、当該選択された部分に対応する乗物の部分画像を強調出力し、前記全体画像の一部又は全体を出力対象から除外する表示制御手段と、
を有することを特徴とする情報提供サーバ。
【請求項５】
経路ネットワーク情報を記憶する経路ネットワーク情報記憶手段と、
公共交通機関の時刻データで構成される時刻表情報を記憶する時刻表情報記憶手段と、
乗物の全体画像及び部分画像を含み、前記各時刻データと紐付けられた公共交通機関の外貌画像データを記憶する外貌画像データ記憶手段と、を備えるシステムで実行される情報提供方法であって、
前記経路ネットワーク情報及び前記時刻表に基づいて、出発地から目的地までどの乗車場所からどの時刻の公共交通機関に乗車するかの情報である経路情報を生成するステップと、
前記経路情報中の乗車する公共交通機関の時刻に対応する外貌画像データを前記外貌画像データ記憶手段から取得し、取得した外貌画像データの全体画像を公共交通機関表示用領域に出力するとともに、その全体画像中の、前記部分画像に対応する公共交通機関徴表部分が選択されると、当該選択された部分に対応する乗物の部分画像を強調出力し、前記全体画像の一部又は全体を出力対象から除外するステップと、
を含むことを特徴とする情報提供方法。
【請求項６】
経路ネットワーク情報を記憶する経路ネットワーク情報記憶手段と、
公共交通機関の時刻データで構成される時刻表情報を記憶する時刻表情報記憶手段と、
乗物の全体画像及び部分画像を含み、前記各時刻データと紐付けられた公共交通機関の外貌画像データを記憶する外貌画像データ記憶手段と、を備えるコンピュータで実行される情報提供プログラムであって、
前記経路ネットワーク情報及び前記時刻表に基づいて、出発地から目的地までどの乗車場所からどの時刻の公共交通機関に乗車するかの情報である経路情報を生成するステップと、
前記経路情報中の乗車する公共交通機関の時刻に対応する外貌画像データを前記外貌画像データ記憶手段から取得し、取得した外貌画像データの全体画像を公共交通機関表示用領域に出力するとともに、その全体画像中の、前記部分画像に対応する公共交通機関徴表部分が選択されると、当該選択された部分に対応する乗物の部分画像を強調出力し、前記全体画像の一部又は全体を出力対象から除外するステップと、
を前記コンピュータに実行させる情報提供プログラム。